(57)【要約】【課題】本発明は、高倍率で幅の狭い耐力壁構造を提供する。【解決手段】木造住宅の土台と梁との間に配置する耐力壁構造であって、２本の柱材と、前記柱材の高さ方向の中央において前記柱材間に水平に配置する横架材と、前記土台と前記柱材の下部を緊結する脚部金物と、前記梁と前記柱材の上部を緊結する上部金物と、からなり、前記横架材の上方および下方においてそれぞれ前記柱材間に配置する２つの枠体と、前記枠体と接合して前記柱材間に配置し、表面が前記柱材の表面と同一平面となる内部板と、前記柱材の表面と前記内部板の表面に亘って配置する外部板と、を有することを特徴とする、耐力壁構造。【選択図】図１
2017110460.tif 000002
【特許請求の範囲】
【請求項１】
木造住宅の土台と梁との間に配置する耐力壁構造であって、
２本の柱材と、
前記柱材の高さ方向の中央において前記柱材間に水平に配置する横架材と、
前記土台と前記柱材の下部を緊結する脚部金物と、
前記梁と前記柱材の上部を緊結する上部金物と、からなり、
前記横架材の上方および下方においてそれぞれ前記柱材間に配置する２つの枠体と、
前記枠体と接合して前記柱材間に配置し、表面が前記柱材の表面と同一平面となる内部板と、
前記柱材の表面と前記内部板の表面に亘って配置する外部板と、を有することを特徴とする、耐力壁構造。
【請求項２】
請求項１に記載の耐力壁構造において、
前記外部板は、前記土台、前記柱材、前記内部板および前記横架材の表面に亘って配置する下部外部板と、
前記梁、前記柱材、前記内部板および前記横架材の表面に亘って配置する上部外部板と、からなり、
前記下部外部板と前記上部外部板との間には隙間を設けることを特徴とする、耐力壁構造。
【発明の詳細な説明】
【技術分野】
【０００１】
本発明は、木造住宅における耐力壁の構造に関するものである。
【背景技術】
【０００２】
木造住宅において、耐力壁は筋交いや合板、石膏ボードなどを用いて構築される。
従来の耐力壁は、９１０ｍｍ幅のものが一般的である。
【発明の概要】
【発明が解決しようとする課題】
【０００３】
木造住宅において、開口部を広くしたい場合には９１０ｍｍよりも幅の狭い、４５５ｍｍ幅の耐力壁を使用する必要がある。
しかし、従来の４５５ｍｍ幅の耐力壁には高倍率のものがなかった。
【０００４】
本発明は、高倍率で幅の狭い耐力壁構造を提供することを目的とする。
【課題を解決するための手段】
【０００５】
上記目的を達成するためになされた本願の第１発明は、木造住宅の土台と梁との間に配置する耐力壁構造であって、２本の柱材と、前記柱材の高さ方向の中央において前記柱材間に水平に配置する横架材と、前記土台と前記柱材の下部を緊結する脚部金物と、前記梁と前記柱材の上部を緊結する上部金物と、からなり、前記横架材の上方および下方においてそれぞれ前記柱材間に配置する２つの枠体と、前記枠体と接合して前記柱材間に配置し、表面が前記柱材の表面と同一平面となる内部板と、前記柱材の表面と前記内部板の表面に亘って配置する外部板と、を有することを特徴とする、耐力壁構造を提供する。
本願の第２発明は、第１発明の耐力壁構造において、前記外部板は、前記土台、前記柱材、前記内部板および前記横架材の表面に亘って配置する下部外部板と、前記梁、前記柱材、前記内部板および前記横架材の表面に亘って配置する上部外部板と、からなり、前記下部外部板と前記上部外部板との間には隙間を設けることを特徴とする、耐力壁構造を提供する。
【発明の効果】
【０００６】
本発明は、上記した課題を解決するための手段により、次のような効果を得ることができる。
（１）柱材間に横架材、枠体および内部板を配置することにより、柱材どうしの相対変位が抑制される。
（２）相対変位が抑制された柱材間の表面に外部板を配置することで、より強固な耐力壁構造とすることができる。
（３）外部板を下部外部板と上部外部板に分けて、間に隙間を設けることで、それぞれの外部板が独立して変形可能であり、変形による外部板の破損を防止できる。
（４）木材と、従来知られた金物とを組み合わせることで柱間隔が狭くても高強度な耐力壁を構築することができる。
【図面の簡単な説明】
【０００７】
【図１】本発明の耐力壁構造の説明図
【図２】柱材、横架材、柱脚金物および上部金物の説明図
【図３】枠体を設置した状態の説明図
【図４】枠体および内部板を設置した状態の断面図
【図５】外部板の説明図
【図６】外部板を設置した状態の断面図
【図７】その他の実施例にかかる柱脚金物および上部金物の説明図
【発明を実施するための形態】
【０００８】
以下、図に示す実施例に基づき、本発明を詳細に説明する。
【実施例】
【０００９】
（１）耐力壁構造の構成。
本発明の耐力壁構造は、木造住宅の土台８と梁９との間に配置するものである。
本発明の耐力壁構造は、２本の柱材１ａ、１ｂ、柱材１ａ、１ｂ間に配置する横架材２、枠体３および内部板４、柱材１ａ、１ｂおよび内部板４の表面に配置する外部板５、柱材１ａ、１ｂと土台８を緊結する脚部金物６、および、柱材１ａ、１ｂと梁９を緊結する上部金物７からなる（図１）。
【００１０】
（２）柱材。
柱材１（１ａ、１ｂ）は土台８に立設する。
柱材１は１０５×１０５の木材であり、柱間隔は４５５ｍｍとする。
【００１１】
（３）横架材。
横架材２は、柱材１の高さ中央において、柱材１間に水平に配置する部材である。
横架材２は柱材１と同様に１０５×１０５の木材である。
横架材２は柱材１との突き合わせ面にほぞ２１を形成し、柱材１に形成したほぞ穴１１にほぞ２１を嵌合する。そして、横架材２から柱材１にかけて斜めにビス２２を打ち込み固定する。さらに、ほぞ２１を柱材１の表面から打ち込む釘２３のよって固定する（図２）。
【００１２】
（４）枠体。
枠体３（３ａ、３ｂ）は、２本の縦材３１および２本の横材３２を矩形に組んだものである。また縦材３１の中央に桁材３３を配置する（図３）。
枠体３は、横架材２の下方に配置して、柱材１ａ、１ｂ、横架材２および土台８上の床合板８１に接する下枠体３ａと、横架材２の上方に配置して、柱材１ａ、１ｂ、横架材２および梁９に接する上枠体３ｂと、がある。
枠体３は例えば、枠体３の内側からそれぞれ接合する部材にかけて釘を５０ｍｍ間隔で打ち込むことにより固定する
【００１３】
（５）内部板。
内部板４は、枠体３の表面に配置する木製の板体である。
内部板４は、下枠体３ａの表面に配置する下内部板４ａと、上枠体３ｂの表面に配置する上内部板４ｂと、がある（図４）。
内部板４は例えば、内部板４の表面から枠体３にかけて釘を５０ｍｍ間隔で打ち込むことにより固定する。
【００１４】
（６）枠体と内部板の配置。
枠体３を構成する縦材３１、横材３２および桁材３３は幅４５ｍｍ、奥行７５ｍｍの木材とする。
また、内部板４の厚さは２８ｍｍとする。
このように構成することにより、枠体３と内部板４は柱材１と横架材２に依って形成される空間内に設置する真壁構造となる（図４）。
内部板４の表面は、柱材１の表面と同一平面とする。
柱材１ａ、１ｂ間に横架材２、枠体３および内部板４を入れることにより、柱材１ａ、１ｂどうしの相対変位が抑制される。
【００１５】
（７）外部板。
外部板５は、内部板４の表面に配置する木製の板体である。
外部板５は内部板４よりも大きく、内部板４とその周囲の柱材１、横架材２、土台８（または梁９）に亘って配置する（図５）。
外部板５の厚さは９ｍｍとする。内部板４の厚さ２８ｍｍと比べても薄く、木造住宅の外壁構造に及ぼす影響がない。
外部板５は例えば、外部板５の表面から柱材１、土台８、梁９、内部板４の裏に位置する枠体３にかけて釘を１５〜５０ｍｍ間隔で打ち込むことにより固定する。
横架材２、枠体３および内部板４により相対変位が抑制された柱材１ａ、１ｂ間表面に外部板５を配置することでより強固な耐力壁構造とすることができる。
【００１６】
（８）外部板の分割。
外部板５は、横架材２の部分で、下内部板４ａの表面に配置する下外部板５ａと、上内部板４ｂの表面に配置する上外部板５ｂとに分割する（図５、図６）。
そして、下外部板５ａと上外部板５ｂの間には５〜１０ｍｍの隙間５１を設ける。
下外部板５ａと上外部板５ｂに分割することにより、それぞれの外部板５が独立して変形することが可能である。そして隙間５１により下外部板５ａと上外部板５ｂが互いに干渉することなく変形することができる。これにより、外部板５の破損を防止できる。
【００１７】
（９）脚部金物。
脚部金物６は、柱材１の下部と土台８を緊結する、ホールダウン金物である（図２）。
脚部金物６は、柱材１の外側に取り付ける平板部６１に筒部６２を設けたものである。そして、基礎（図示しない）に埋設して立設して土台８を挿通したボルト６３を筒部６２に挿通し、ボルト６３にナット６４を螺合して締め付けることにより、柱材１と土台８を緊結する。
脚部金物６は、例えば、既製品であり耐力が４０ｋＮのものを３つ、縦に直列に配置して使用する。
また、柱材１の内部には、土台８に立設した柱脚金物６５を配置してもよい。
【００１８】
（１０）上部金物。
上部金物７は、柱材１の上部と梁９を緊結する、ホールダウン金物である（図２）。
上部金物７は、柱材１の外側に取り付ける平板部７１に筒部７２を設けたものである。そして、梁から突設するボルト７３を筒部７２に挿通し、ボルト７３にナット７４を螺合して締め付けることにより、柱材１と梁９を緊結する。
上部金物７は、例えば、既製品であり耐力が４０ｋＮのものを２つ、縦に直列に配置して使用する。
また、柱材１の内部には、梁９から突設するほぞ金物７５を配置してもよい。
【００１９】
このように、木材と、従来知られた金物とを組み合わせることで柱間隔が狭くても高強度な耐力壁構造を構築することができる。
上記実施例の場合、柱間隔４５５ｍｍで壁倍率１０．０の耐力壁構造となる。
【００２０】
［その他実施例］
上記実施例において、脚部金物６や上部金物７は柱材１の外側に取り付けたが、枠体３の内側に取り付けてもよい。
脚部金物６や上部金物７が耐力壁構造の内部に納まるため、大きなサッシュであっても耐力壁構造に沿って配置することができる。
脚部金物６や上部金物７が枠体３の桁材３３と干渉する場合には、桁材３３の位置をずらしてもよい。
【符号の説明】
【００２１】
１        柱材
１１      ほぞ穴
２        横架材
２１      ほぞ
３        枠体
３１      縦材
３２      横材
３３      桁材
４        内部板
５        外部板
５１      隙間
６        脚部金物
６１      平板部
６２      筒部
６３      ボルト
６４      ナット
６５      柱脚金物
７        上部金物
７１      平板部
７２      筒部
７３      ボルト
７４      ナット
７５      ほぞ金物
８        土台
９        梁
【図１】
2017110460.tif 000003
【図２】
2017110460.tif 000004
【図３】
2017110460.tif 000005
【図４】
2017110460.tif 000006
【図５】
2017110460.tif 000007
【図６】
2017110460.tif 000008
【図７】
2017110460.tif 000009